(57)【要約】【課題】  節水に資すると共に、ユーザーの有効な水浴び（ウェット化）および肌の有効な濯ぎ落とし（リンス）を可能とする。【解決手段】  ハンドヘルド式シャワーアタッチメントのシャワーヘッドの一方の側面にハンドグリップが配置される。シャワーヘッドの横方向最大寸法に対するグリップの長さの比率が１未満であり、有効な濯ぎ落としを有する節水型シャワーアタッチメントを形成することを可能にする。グリップ（４）の長手方向軸が、ジェット水流が吐出されるシャワーヘッド（１）上の表面（３）に対してほぼ平行である。【選択図】  図１
2004283561.tif 000002
【特許請求の範囲】
【請求項１】
ジェット水流が吐出される表面（３）を有するシャワーヘッド（１）と、ジェット水流が吐出される表面（３）に沿った所定の位置でシャワーヘッド（１）に取付けられるグリップ（４）とを有するハンドヘルド式シャワーアタッチメントであって、
ジェット水流が吐出されるシャワーヘッド（１）上の表面（３）の横方向最大寸法に対するグリップの長さの比率が、およそ０．５から１の範囲であることを特徴とする、ハンドヘルド式シャワーアタッチメント。
【請求項２】
グリップ（４）の長手方向軸が、ジェット水流が吐出されるシャワーヘッド（１）上の表面（３）に対してほぼ平行であることを特徴とする、請求項１に記載のシャワーアタッチメント。
【請求項３】
シャワーヘッド（１）の反対側のグリップ（４）の端部においてシャワーホース用の取付け具を有することを特徴とする、請求項１または請求項２に記載のシャワーアタッチメント。
【請求項４】
シャワーホースの端部上のユニオンナット（６）が、グリップ（４）の一部として機能することを特徴とする、請求項３に記載のシャワーアタッチメント。
【請求項５】
ジェット水流が吐出される表面（３）の直径に対する、ジェット水流が吐出される表面（３）に垂直に測定されるシャワーヘッド（１）の深さの比率が、ほぼ０．２５から０．５であることを特徴とする、請求項１〜４のいずれか１項に記載のシャワーアタッチメント。
【請求項６】
ジェット水流が吐出される表面（３）の外辺部が、ほぼ楕円形の形状を有することを特徴とする、請求項１〜５のいずれか１項に記載のシャワーアタッチメント。
【請求項７】
ジェット水流が吐出される表面（３）の外辺部が、円形の形状を有することを特徴とする、請求項１〜５のいずれか１項に記載のシャワーアタッチメント。
【発明の詳細な説明】
【技術分野】
【０００１】
本発明は、ハンドヘルド式シャワーアタッチメントに関し、標準的なシャワー用として使用されうるハンドヘルド式シャワーアタッチメントに基礎を置く。シャワーの際に水を節約するために、余り多くの水を使わないようにするという目的を達成しようとするシャワーアタッチメントは、入手可能である。
【背景技術】
【０００２】
水を節約する１つの手段は、「ロータ」シャワーアタッチメントとも呼ばれる、いわゆる「ジェット」シャワーアタッチメントである。
【０００３】
これらは、吐出ノズルの近傍において渦巻きが生起される渦巻き室を有する。その場合、水は、円錐状ジェット流の形態を採って吐出ノズルから吐出されるのである。この円錐状ジェット流と、その内部の水配給の頂角は、渦巻き室とその吐出ノズルの形状との相互作用によって決定される。
【０００４】
例えば数種のジェット水流を提供するシャワーアタッチメントである標準的なシャワーアタッチメントは、例えばすべてのジェット流の流量を削減するかまたは単一の流れ限定セッティングのみを提供する流れ限定器を有する。そのようなシャワーアタッチメントのシャワーヘッドの直径は、そこから吐出されるジェット水流を広く散開させることを必要とする比較的小さいものである。
【０００５】
これらのジェット水流が大きな角度で散開されるならば、吐出される大部分の水は、特にシャワーアタッチメントがハンドヘルド式である場合、ユーザーの身体から外れてしまう。ユーザーの身体から水を逸らしてしまうシャワーアタッチメントは、不可避的に水を浪費する。
【０００６】
ジェット水流の揺動的な横方向運動を生起させる揺動器を有するシャワーアタッチメントが、ロータ型シャワーアタッチメントの代替案として提案された。
【発明の開示】
【発明が解決しようとする課題】
【０００７】
本発明は、節水に資すると共に、ユーザーの有効な水浴び（ウェット化）および肌の有効な濯ぎ落とし（リンス）を可能とするハンドヘルド式シャワーアタッチメントを提供するという課題に基礎を置く。
【課題を解決するための手段】
【０００８】
その課題を解決するために、本発明は、請求項１に記載の各特徴を有するハンドヘルド式シャワーアタッチメントを提供する。本発明の実施形態は、その従属請求項によってカバーされる。
【０００９】
研究により、比較的緩やかな水流を提供するシャワーアタッチメントが節水を可能にするものであるが判明した。何故なら、それが、有効な水浴び（ウェットにすること）および濯ぎ落とし（リンスすること）を可能とするからである。そこから吐出されるジェット水流の拡散角度は、過剰に大きくなって外れて逸れてしまうことを防止するために必要以上に大きいものであってはならない。しかしながら、ユーザーの肌との接触面積もまた、大きな面積の迅速な濯ぎ落としを可能とするために過剰に小さいものであってはならない。更に、ハンドヘルド式シャワーアタッチメントは、取扱いが容易であるべきであり、すなわち過度に嵩張るものであってはならない。本発明では、これらのすべてが考慮された。シャワーアタッチメントは、必ずしも過度に嵩張ることなくジェット水流が吐出される比較的大きな面積を提供することが可能である。そこから吐出されるジェット水流が、狭い角度に限定されることもまた可能である。
【００１０】
それらを適所に固定するためにハンドグリップが使用される場合、ジェット水流が吐出される表面の面積に比べてグリップの長さを短くすれば、その角度方向付けを変化させることは、グリップがその軸の廻りで回転される際に大きくシフトされる吐出位置を必ずしも導き出すものではないことをも規定する。
【００１１】
本発明に従えば、シャワーヘッドおよびそのハウジングは、その外辺部全体の廻りにおいて、ジェット水流が吐出される表面を僅かにのみ越えて張出すように規定されることも可能である。従って、シャワーヘッドの寸法は、最適に利用される。
【００１２】
本発明の実施形態によれば、そのグリップの長手方向軸は、ジェット水流が吐出される表面に対してほぼ平行であると規定されることが可能である。
【００１３】
水を水供給源からシャワーヘッドに案内するシャワーホースは、通常、ハンドグリップの端部に取付けられるものであり、本発明によって提案されるハンドヘルド式シャワーアタッチメントの場合にも同様であることが可能である。グリップの端部に配置されるシャワーホースを取付けるための取付け具は、シャワーホースの端部に取付けられるユニオンナットがグリップの延長部分を形成して、グリップがユニオンナットによって拡張されるようにして設計されることも可能であり、シャワーヘッドが挿入されるグリップの部分を更に短くすることを可能にする。言い換えれば、ユニオンナットの長手方向の寸法は、グリップの長さ全体を決定する際に、グリップの長さに対して付け足されることが可能なのである。
【００１４】
本発明によれば、ジェット水流が吐出される表面に対して垂直に測定されるシャワーヘッドの深さは、ジェット水流が吐出される表面の直径のほぼ４分の１から２分の１であると規定されることが可能である。その場合、シャワーアタッチメントは、全体としてかなり平坦なものであることになる。
【００１５】
ジェット水流が吐出される表面は、平坦であるかまたは僅かにドーム状であることが可能であり、僅かに凹んだドーム状の表面が好適である。ジェット水流が吐出される表面の外辺部は、楕円形の形状を有することが可能であり、グリップの長手方向軸は、その長軸またはその短軸のいずれかに対して平行であることが可能である。
【００１６】
しかしながら、ジェット水流が吐出される表面の外辺部は、円形の形状を有することが特に好適である。
【００１７】
本発明のその他の特徴、詳細および利点や、好適な実施例は、以下、詳細に説明される。各請求項および要約書、好適な実施例に関する以下の説明および図面の記載は、いずれの説明も本明細書の内容に組み込まれる。
【実施例】
【００１８】
図１は、本発明によって提案されるシャワーアタッチメントの概略的な側面図を示している。そのシャワーアタッチメントは、図示の具体例の場合には円盤形状であるシャワーヘッド１を有する。ジェット水流が吐出される表面３（図２を参照）は、それが図１において示されたように方向付けされるときには、その底部２上に形成される。シャワーヘッド１上のハンドグリップ４は、ジェット水流が吐出されるこの表面３の一方の側面に対して取付けられる。シャワーアタッチメントがプラスチックで製造される場合には、このハンドグリップ４は、それに当接して射出成形されることも可能であり、それによって、一体的な構造を形成する。図示の具体例の場合、ハンドグリップ４は、僅かに湾曲しているものであり、それによって、シャワーヘッド１の形状に対して概ね連続する。外径がグリップ４の残りのものより僅かに小さいネジ付き取付け具５は、ハンドグリップ４の端部上に形成される。破線で示されたようにシャワーホース（図示略）の端部に取付けられるユニオンナット６は、このようにして、ネジ付き取付け具５に被せて捩じ込まれることが可能である。ユニオンナット６は、その外側表面がハンドグリップ４の外側表面と面一であるようにして設計される。
【００１９】
ハンドグリップ４の長さは、ハンドグリップ４の長手方向軸の仮想延長線に直交して測定されるシャワーヘッド１の横方向最大寸法よりも遥かに小さい。
【００２０】
図２は、図１において示されたハンドヘルド式シャワーアタッチメントの底面図を大きく簡略化して示している。この底面図からは、シャワーヘッド１の外辺部が、円形の形状を有することと、シャワーヘッド１の外辺部のほぼ全長にわたって外側に張出しているジェット水流が吐出される表面３もまた、円形の外辺部を有するものであり、それによって、ジェット水流が緩やかな流れの形態を採って吐出され得ることになる非常に大きな面積を提供していることとが、観察されるであろう。ジェット水流が吐出される表面３の大きな面積の故に、ジェット水流が吐出されるその内部の開口は、そのようなすべてのジェット水流によって構成される流れの分散が小さくて、シャワーの際に少量の水だけしかユーザーの身体から逸れないようにして、構成されることが可能である。
【００２１】
図１と比較して理解され得るように、その横方向最大寸法に対するシャワーヘッド１の深さの比率は、ほぼ０．２５から０．５である。
【００２２】
周知のハンドヘルド式シャワーアタッチメントの場合、そのシャワーヘッドの横方向最大寸法に対するそのハンドグリップの長さの比率は、ほぼ１．８から２．５である。本発明は、この比率が０．５から最大１までの範囲にあり、ジェット水流が吐出される表面の面積が、同じ全体寸法を有するシャワーアタッチメントの場合に、およそ３００％ほども増大されることが可能であるということを提案しているのである。
【図面の簡単な説明】
【００２３】
【図１】本発明によって提案されるハンドヘルド式シャワーアタッチメントの側面図である。
【図２】図１において示されたシャワーアタッチメントの底面図である。
【符号の説明】
【００２４】
１  シャワーヘッド
３  表面
４  ハンドグリップ
５  ネジ付き取付け具
６  ユニオンナット
【図１】
2004283561.tif 000003
【図２】
2004283561.tif 000004
【外国語明細書】
2004283561.tif 000005
2004283561.tif 000006
2004283561.tif 000007
2004283561.tif 000008
2004283561.tif 000009
2004283561.tif 000010
2004283561.tif 000011
2004283561.tif 000012
2004283561.tif 000013